(57)【要約】【課題】  使用者の目的とした結果表示画面を容易に表示させることができ、これまでの測定結果の確認・検証作業をすべて画面上で実施することを可能とし、使用者の作業効率の向上を実現させることができる自動分析装置を提供すること。【解決手段】  自動分析装置から出力される全ての印字結果の内、印字名称・印字日付・ページ範囲・使用者の確認有無などを示す一覧を表示する画面から、使用者の目的とする出力結果を選択することにより、当該出力結果のある開始ページに移動して表示する機能を設ける。  その結果表示された画面上において、使用者の目的とした測定結果などに対して、データの検証・確認の有無を表すチェック，チェック日付，チェック者、及びコメントなどを付加することができる機能を設ける。【選択図】図４
2008209326.tif 000002
【特許請求の範囲】
【請求項１】
生体試料の分析を行う自動分析装置において、
生体試料の測定結果を含む情報を、一覧表示する表示装置と、
該表示装置上で、前記生体試料の測定結果を含む情報に対して、データの検証または確認をいつ，誰が実行したかの情報を表示できるように制御する制御手段を備えたことを特徴とする自動分析装置。
【請求項２】
請求項１記載の自動分析装置において、
前記データの検証または確認をいつ，誰が実行したかの情報を入力する入力手段を備えたことを特徴とする自動分析装置。
【請求項３】
請求項１記載の自動分析装置において、
前記表示装置上で、前記一覧表示された情報の中から使用者の目的とする出力結果を選択する選択手段と、
該選択手段で選択された情報を表示するように制御する制御手段と、
を備えたことを特徴とする自動分析装置。
【請求項４】
請求項３記載の自動分析装置において、
前記選択手段で選択された情報のみを前記表示装置に表示するように制御する制御手段を備えたことを特徴とする自動分析装置。
【請求項５】
請求項３記載の自動分析装置において、
前記選択手段で選択された情報のみを印刷装置により印刷するように制御する制御手段を備えたことを特徴とする自動分析装置。
【請求項６】
請求項３記載の自動分析装置において、
前記選択手段で選択された情報のみを外部記憶装置により外部メディアに印刷イメージで保存することができることを特徴とする自動分析装置。
【発明の詳細な説明】
【技術分野】
【０００１】
本発明は血液，尿などの生体試料の定性・定量分析を行う自動分析装置に係り、特に生体試料の測定結果を含む情報を表示する表示装置を備えた自動分析装置に関する。
【背景技術】
【０００２】
血液、尿などの生体試料中の特定成分の定性・定量分析を行う自動分析装置は、多検体・多項目を短時間で処理する必要のある大病院，臨床検査センタを中心に普及が著しく、それには測定精度，再現性の高さ，単位時間当たりの処理能力の高さ、及び低ランニングコストなどが求められる。
【０００３】
自動分析装置では多くのニーズに応えるため、例えば生体試料の測定結果などを実際の印刷装置でリアルタイムに印刷するモードや、実際には印刷せずに印刷イメージを表示装置に表示するのみのペーパーレスモードなどがあり、施設ごとに出力モードは異なっている。
【０００４】
また自動分析装置では、装置性能の保守を目的とした様々なメンテナンス機能を有し、必要に応じてメンテナンスを実施した結果や、分析に使用する試薬の状況，キャリブレーション結果，精度管理データなどの様々なリアルタイム／バッチ印字機能を有している。これらの印字出力結果は前記の１つの結果表示画面に集約され、時系列に印刷イメージで表示している。
【０００５】
なおこの種の装置として関連するものは例えば特許文献１記載のようなものが知られている。
【０００６】
【特許文献１】特開平８−２１１０６４号公報
【発明の開示】
【発明が解決しようとする課題】
【０００７】
従来の自動分析装置では、装置からの様々な出力結果を時系列に１つの印刷イメージで表示していることにより、どのページに何の結果があるのかは、実際にページを順に閲覧していかないと判らないのが現状である。
【０００８】
そのため、使用者の目的とする出力結果は、使用者自身のページング操作に頼っており、迅速さが要求される臨床検査業務に支障をきたしている。
【０００９】
また、測定結果のデータ検証・確認に関しては、使用者は目的とする出力結果を結果出力画面から一旦印刷用紙に印刷し、紙面上で各検体の測定結果を確認・検証し、使用者自らが確認有無のチェック、及び必要に応じてコメントを記入し、必要に応じて印刷物をファイリングして保存しているのが現状となっている。
【００１０】
本発明の目的は、生体試料の測定結果や、メンテナンス実施結果などの確認・検証に対する使用者の負担を軽減させ、迅速な臨床検査業務を可能とする自動分析装置を提供することにある。
【課題を解決するための手段】
【００１１】
上記目的を達成するため、本発明は次のように構成される。
【００１２】
生体試料の分析を行う自動分析装置において、生体試料の測定結果を含む情報を、一覧表示する表示装置と、該表示装置上で、前記生体試料の測定結果を含む情報に対して、データの検証または確認をいつ，誰が実行したかの情報を表示できるように制御する制御手段を備えた自動分析装置。
【００１３】
また、自動分析装置から出力された生体試料の測定結果などを、時系列な印刷イメージで表示する印字結果画面を備えた表示装置上で、生体試料ごとの測定結果などに対して、使用者の確認有無を表すチェック・チェック日付・チェック者・コメントなどを付加することができる機能を設けても良い。
【００１４】
また、自動分析装置から出力された全ての印字結果において、その印字名称・印字日時・オペレータＩＤ・ページ範囲・使用者の確認有無などを示す一覧を表示する画面を備えた表示装置上で、使用者の目的とする出力結果を選択することにより、当該出力結果の開始ページに移動して表示する機能，使用者の目的とする出力結果のみを抽出して表示する機能，使用者の目的とする出力結果のみを印刷装置により印刷用紙に印刷する機能，使用者の目的とする出力結果のみを外部記憶装置により外部メディアに印刷イメージで保存することができる機能を設けても良い。
【００１５】
更に、使用者の目的とする印字結果をより検索し易いように、装置から出力された全ての印字結果の内、使用者として必要な印字結果のみを選択登録することにより、当該印字結果のみの一覧を表示することができる機能を設けても良い。
【発明の効果】
【００１６】
本発明によれば、使用者は目的とした結果表示画面を容易に表示させることができ、これまでの測定結果の確認・検証作業をすべて画面上で実施することが可能となる。また必要に応じて、画面上の確認結果をそのまま印刷、または外部メディアに保存することができ、作業効率の向上を実現することが期待できる。
【発明を実施するための最良の形態】
【００１７】
以下に、本発明の実施例を添付図面に基づいて説明する。
【００１８】
図１は、自動分析装置の全体構成概念図である。また図４は本発明を実現するための処理方法を示す。
【００１９】
図１において、１０１は操作部であり、操作部は、データを入力するためのキーボード１０２,データを表示するための表示装置１０３,データを印刷するための印刷装置１０４，分析部と接続するためのインタフェース１０５，データを記憶するための内部記憶装置１０６，外部記憶装置１０７などの周辺装置を有するコンピュータである。
【００２０】
１０８は分析部であり、単数または複数個設置されている。分析部１０８は、インタフェース１０５を介して操作部１０１と接続され、表示装置１０３からの動作指示により、生体試料の測定やメンテナンス動作などを実行する。これらの実行動作はすべて、コンピュータ１０９により制御されている。
【００２１】
実行された生体試料の測定結果やメンテナンス実施結果などは、インタフェース１０５を介して操作部１０１の記憶装置１０６に記憶するとともに、実際の印字フォーマットに編集（図４の中で図示した４０２）した印字結果４０３を表示装置１０３で表示したり、印刷装置１０４で印刷４０４させる。
【００２２】
図２は、印字結果画面、及び印字結果画面から表示するメニュー画面である。
【００２３】
印字結果画面２０１は、生体試料の測定結果やメンテナンス実施結果などを時系列な印刷イメージで表示する。また印字結果画面のメニューボタン２０２によって表示されるメニュー画面２０３は、装置から出力された全ての印字結果の内、印字名称・印字日時・オペレータＩＤ・ページ範囲・使用者の確認有無などを示す一覧を表示４０５する。
【００２４】
この一覧情報は、記憶装置１０６内のデータベース４０１から印字データ４０３を作成する過程で、各印字データの印字名称・印字日時・ページ範囲の情報を逐次整理してデータベース化する。
【００２５】
使用者は、メニュー画面２０３内で目的とする印字結果を複数個選択することができ
２０４，選択した印字結果に対して、移動２０５，抽出２０６，印刷２０７，保存２０８の各ボタンによる機能を実行することができる。
【００２６】
また、同メニュー画面の一覧は、印字名称・印字日時・オペレータＩＤ・ページ範囲・確認の欄のソート２１１により、一覧の表示を整理することができる。
【００２７】
移動ボタン２０５においては、本メニュー画面２０３が閉じ、印字結果画面２０１で、使用者が選択した印字結果の開始ページに移動して表示する。
【００２８】
抽出ボタン２０６においては、本メニュー画面２０３が閉じ、印字結果画面２０１で、使用者が選択した印字結果のみが抽出４０６されて表示される。なお、その場合は印字結果画面２０１の抽出ラジオボタン２０９が抽出ありとなり、元の抽出しない画面に戻す際には抽出ラジオボタン２０９を抽出なしに変更する。
【００２９】
印刷ボタン２０７においては、使用者が選択した印字結果のみが、印刷装置１０４により印刷用紙に印刷４０４される。
【００３０】
保存ボタン２０８においては、使用者が選択した印字結果のみが、外部記憶装置１０７により外部メディアに印刷イメージで保存４０７される。
【００３１】
図３はメニュー画面２０３からの操作で、生体試料の測定結果画面を印字結果画面で表示させた図である。
【００３２】
本画面３０１では、実際の測定結果とともに、データの検証・確認の有無を表すチェック・チェック日付・チェック者・コメントなどを入力するエリア３０２が表示される。
【００３３】
使用者が本エリア３０２でデータ入力をすると、登録ボタン３０３の色が変わり、使用者に登録を促す。登録ボタン３０３押下によって、それまでの使用者の入力したデータが一括登録４０８され、登録ボタンの色が元に戻る。この操作によって、印字結果メニュー２０３では、当該印字結果は確認済みという表示となる。
【００３４】
図５は図２の印字結果メニュー画面の設定ボタン２１０から表示するメニュー設定画面である。
【００３５】
メニュー設定画面５０１では、印字項目を候補リスト５０２に表示し、選択ボタン503によって、印字対象リスト５０５に印字項目が移動される。また、印字対象リスト５０５から解除ボタン５０４によって印字対象リストの印字項目が除外される。実際には選択／解除の操作で実行ボタン５０６の色が変わり、実行ボタン５０６押下によって、メニュー設定画面５０１が閉じ、印字結果メニュー画面２０３が、メニュー設定画面５０１で選択した印字項目の情報のみの表示となる。
【図面の簡単な説明】
【００３６】
【図１】自動分析装置の全体構成概念図である。
【図２】印字結果画面、及び印字結果画面から表示するメニュー画面である。
【図３】生体試料の測定結果画面を印字結果画面で表示させた図である。
【図４】本発明を実現するための処理方法を示す。
【図５】印字結果メニュー画面から表示するメニュー設定画面である。
【符号の説明】
【００３７】
１０１  操作部
１０３  表示装置
１０４  印刷装置
１０６  内部記憶装置
１０７  外部記憶装置
２０１  印字結果画面
２０３  印字結果メニュー画面
２０５  移動ボタン
２０６  抽出ボタン
２０７  印刷ボタン
２０８  保存ボタン
２０９  抽出ラジオボタン
２１０  設定ボタン
３０２  確認入力エリア
３０３  登録ボタン
４０４  印刷機能
４０５  表示機能
４０６  抽出機能
４０７  保存機能
５０２  候補リスト
５０３  選択ボタン
５０４  解除ボタン
５０５  対象リスト
【図１】
2008209326.tif 000003
【図２】
2008209326.tif 000004
【図３】
2008209326.tif 000005
【図４】
2008209326.tif 000006
【図５】
2008209326.tif 000007